(57)【要約】【課題】組み付け作業の容易性と共に部品押え部材の安定動作を確保しようとする電気部品用ソケットを提供する。【解決手段】ソケット本体部に枢着され回動して載置部に載置された電気部品を押圧し、電気部品の端子とコンタクトピンとの接触を確保するラッチ部材１を有する電気部品用ソケットであって、ラッチ部材１は、上端にてソケット本体部の載置部側に延設されて電気部品を押圧する押え部１ｂと、下端から上端近傍部に亘って二つに分離して形成され可撓性を有する脚部１ｅと、この各脚部１ｅの外側方に突出されソケット本体部に回動自在に保持される回動軸部１ｃと、各脚部１ｅの内側面１ｆに対向して突設された撓み抑止突部１ｈと、を備え、各脚部１ｅを回動軸部１ｃと略直交方向にずらすことを可能に形成したものである。【選択図】      図５
2005005152.tif 000002
【特許請求の範囲】
【請求項１】
電気部品を載置部に載置して保持するソケット本体部と、このソケット本体部の載置部に対応して複数植設されたコンタクトピンと、ソケット本体部に枢着され回動して載置部に載置された電気部品を押圧し、電気部品の端子とコンタクトピンとの接触を確保する部品押え部材と、ソケット本体部に上下動自在に配設され部品押え部材を回動操作する操作部材と、を有する電気部品用ソケットであって、
前記部品押え部材は、上端にてソケット本体部の載置部側に延設されて電気部品を押圧する押え部と、下端から上端近傍部に亘って二つに分離して形成され可撓性を有する脚部と、この各脚部の外側方に突出され前記ソケット本体部に回動自在に保持される回動軸部と、前記各脚部の内側面に対向して突設された撓み抑止突部と、を備え、各脚部を回動軸部と略直交方向にずらすことを可能に形成したことを特徴とする電気部品用ソケット。
【請求項２】
前記各脚部にそれぞれ設けた撓み抑止突部は、その一部のみが対向するように配置されたことを特徴とする請求項１記載の電気部品用ソケット。
【請求項３】
前記部品押え部材は、前記ソケット本体部の両側端部に設けた保持凹部にそれぞれ前記回動軸部を係止させて一対設けられたことを特徴とする請求項１記載の電気部品用ソケット。
【請求項４】
前記部品押え部材は、各脚部の少なくとも一方の下端部に弾性部材による常時上向きの付勢力を受ける弾性部材受け部を形成したことを特徴とする請求項１記載の電気部品用ソケット。
【請求項５】
前記部品押え部材は、前記弾性部材受け部と反対側の部位に、操作部材の下降動作に伴って、この操作部材と当接する被押圧部を形成したことを特徴とする請求項４記載の電気部品用ソケット。
【発明の詳細な説明】
【０００１】
【発明の属する技術分野】
本発明は、電気部品を押圧する部品押え部材を備える電気部品用ソケットに関し、詳しくは、部品押え部材に形成された可撓性を有する各脚部の内側面に対向して撓み抑止突部を突設することによって、組み付け作業の容易性と共に部品押え部材の安定動作を確保しようとする電気部品用ソケットに係るものである。
【０００２】
【従来の技術】
従来、この種の電気部品用ソケットには、電気部品を載置する載置部がソケット本体部に設けられ、電気部品を押えるラッチ部材が載置部の両側方でソケット本体部に回動自在に枢着され、また、ソケット本体部の載置部対応部には、電気部品の端子に接触可能な複数のコンタクトピンが配設された構成を有するものがある。そして、図１４に示すように、例えばラッチ部材１は、本体部１ａに電気部品を押える押え部１ｂが形成されると共に、本体部１ａから外側方に向けて回動軸部１ｃが一体成形されて突出されている。一方、ソケット本体部２には、開放口２ａから挿入された回動軸部１ｃを回動自在に保持する保持凹部２ｂが形成されると共に、回動軸部１ｃの直交方向の一側方にて回動軸部１ｃに対向して係止爪２ｃを有する係止片２ｄが形成され、係止片２ｄは、回動軸部１ｃを保持凹部２ｂの開放口２ａから挿入して行く際に同図中矢印Ｐ方向に弾性変形させられ、挿入が完了した状態で、ラッチ部材１のばね受け部１ｄが図示省略のばね部材で上向きに付勢されて回動軸部１ｃを係止爪２ｃに係止し、回動軸部１ｃが保持凹部２ｂから抜け出すのを規制するようにしている（例えば、特許文献１参照）。
【０００３】
【特許文献１】
特開２００３−７４１６号公報（第１３〜１４頁、図１６）
【０００４】
【発明が解決しようとする課題】
しかし、このような従来の電気部品用ソケットにおいては、ラッチ部材１で電気部品を押圧する押圧力を高めるために、ラッチ部材を上向きに付勢するばね部材の弾性力を強くした場合には、このばね部材の弾性力によって、回動軸部１ｃに上向きの強い力が作用し、回動軸部１ｃが係止片２ｄを図１４中矢印Ｐ方向に押し広げて保持凹部２ｂから抜け出る虞がある。
【０００５】
また、ラッチ部材１のソケット本体部２の保持凹部２ｂに対する組み付け作業性を改善するために、例えば、図１５に示すように下端から上端近傍部に亘って一対の脚部１ｅを形成し、この各脚部１ｅの略中央部から外側方に回動軸部１ｃを突出させた構成のラッチ部材１が考えられる。このようなラッチ部材１は、図１６中矢印Ｑ，Ｒで示すように脚部１ｅを左右方向から押圧して内側に撓ませ、図１５に示す回動軸部１ｃの両端間寸法Ｌを、図１６に示すソケット本体部２に形成した保持凹部２ｂの開放口２ａの幅Ｗよりも小さくなるように押し縮めた後、開放口２ａに対して上方から挿入される。その後、脚部１ｅに対する左右方向からの押圧を開放すると脚部１ｅは元の状態に復帰する。このとき、ばね受け部１ｄを図１７中矢印Ｓ方向に図示省略のばね部材で付勢すると、ラッチ部材１は、回動軸部１ｃを保持凹部２ｂの上側面２ｅに係止して回動自在に保持される。しかし、このようなラッチ部材１においても、ばね部材の弾性力を強くした場合には、回動軸部１ｃの端部が保持凹部２ｂの上側面２ｅに係止しているため、ばね部材の上向きの付勢力により脚部１ｅには内向きの力が発生し、脚部１ｅが内側に撓むことになる。その結果、ラッチ部材１は、図１６に示す状態と同様になって、保持凹部２ｂから抜け出る虞がある。また、一部抜け出かかった状態で使用された場合には、脚部１ｅにはねじれの力が作用し破損してしまう虞もある。
【０００６】
そこで、本発明は、このような問題点に対処し、組み付け作業の容易性と共に部品押え部材の安定動作を確保しようとする電気部品用ソケットを提供することを目的とする。
【０００７】
【課題を解決するための手段】
上記目的を達成するために、本発明による電気部品用ソケットは、電気部品を載置部に載置して保持するソケット本体部と、このソケット本体部の載置部に対応して複数植設されたコンタクトピンと、ソケット本体部に枢着され回動して載置部に載置された電気部品を押圧し、電気部品の端子とコンタクトピンとの接触を確保する部品押え部材と、ソケット本体部に上下動自在に配設され部品押え部材を回動操作する操作部材と、を有する電気部品用ソケットであって、前記部品押え部材は、上端にてソケット本体部の載置部側に延設されて電気部品を押圧する押え部と、下端から上端近傍部に亘って二つに分離して形成され可撓性を有する脚部と、この各脚部の外側方に突出され前記ソケット本体部に回動自在に保持される回動軸部と、前記各脚部の内側面に対向して突設された撓み抑止突部と、を備え、各脚部を回動軸部と略直交方向にずらすことを可能に形成したものである。
【０００８】
このような構成により、部品押え部材を下端から上端近傍部に亘って二つに分離して形成され可撓性を有する脚部を回動軸部と略直交方向にずらし、さらに内側に撓ませて各脚部の外側方に突出した回動軸部で部品押え部材をソケット本体部に回動自在に枢着し、定常時においては各脚部の内側面に対向して突設された撓み抑止突部で脚部の内側への撓みを制限し、ソケット本体部に上下動自在に配設された操作部材で部品押え部材を回動操作して部品押え部材の上端にて載置部側に延設された押え部で載置部に載置された電気部品を押圧し、電気部品の端子とコンタクトピンとの接触を確保する。これにより、組み付け作業を容易にし、部品押え部材の安定動作を確保する。
【０００９】
また、前記各脚部にそれぞれ設けた撓み抑止突部は、その一部のみが対向するように対向配置されたものである。これにより、撓み抑止突部の対向した部分に相当する分だけ各脚部を回動軸部に対して略直交方向にずらして撓み抑止突部を非対向状態にする。
【００１０】
さらに、前記部品押え部材は、前記ソケット本体部の両側端部に設けた保持凹部にそれぞれ前記回動軸部を係止させて一対設けられたものである。これにより、回動軸部でソケット本体部の両側端部に設けた保持凹部に係止する。
【００１１】
また、前記部品押え部材は、前記各脚部の少なくとも一方の下端部に弾性部材による常時上向きの付勢力を受ける弾性部材受け部を形成したものである。これにより、各脚部の少なくとも一方の下端部に形成した弾性部材受け部で弾性部材による常時上向きの付勢力を受ける。
【００１２】
そして、前記部品押え部材は、前記弾性部材受け部と反対側の部位に、操作部材の下降動作に伴って、この操作部材と当接する被押圧部を形成したものである。これにより、弾性部材受け部と反対側の部位に形成した被押圧部で操作部材の下降動作に伴って、この操作部材に当接する。
【００１３】
【発明の実施の形態】
以下、本発明の実施の形態を添付図面に基づいて詳細に説明する。
図１は、本発明による電気部品用ソケットの実施の形態を示す平面図である。この電気部品用ソケットは、例えばＢＧＡ（Ｂａｌｌ  Ｇｒｉｄ  Ａｒｒａｙ）タイプの電気部品のバーンインテスト等に適用されるものであり、ソケット本体部２と、コンタクトピン４と、ラッチ部材１と、操作部材５と、を備えている。
【００１４】
ソケット本体部２は、電気部品を収容して保持する電気部品用ソケットの本体部を構成する合成樹脂製のものであり、図２に示すように、トッププレート６と、移動部材７と、レバー８と、を備えている。
【００１５】
ソケット本体部２の中央部には、トッププレート６が固定して設けられている。このトッププレート６は、その上面部を載置部６ａとして形成しており、この載置部６ａに電気部品を載置して保持できるようになっている。そして、図１に示すように、載置部６ａを囲んでガイド部９が設けられ、このガイド部９の隅角部分は斜面状にされて、電気部品を載置部６ａに載置する際に、電気部品を案内できるようになっている。また、載置部６ａには、載置された電気部品の端子に対応する位置に後述のコンタクトピン４を挿通する挿通孔１０が形成されている。
【００１６】
また、トッププレート６の下方には、図２に示すように、移動部材７が配設されている。この移動部材７は、上下動して後述のコンタクトピン４を変位させるものであり、ばね部材１１によって上向きに付勢されてソケット本体部２に対して上下動自在に保持されている。
【００１７】
さらに、図１及び図２に示すように、ソケット本体部２の両側端近傍部には、略左右対称位置に１組のレバー８が枢着されている。このレバー８は、回動して移動部材７を上下動させるものであり、金属板により形成され、基端部８ａに設けられた嵌合孔８ｂに合成樹脂製のソケット本体部２に一体成型されたボス２ａを嵌合させることにより回動自在に配設され、押圧部８ｃを移動部材７の上面に当接させている。そして、上端隅部に設けた被押圧部８ｄが後述の操作部材５により下方に押圧されることによって内側に回動し、押圧部８ｃで移動部材７を押圧して下方に移動させるようにしている。
【００１８】
そして、ソケット本体部２の載置部６ａの両側端部には１組のラッチ部材１が設けられている。このラッチ部材１は、ソケット本体部２に枢着され、回動して載置部６ａに載置された電気部品を押圧し、電気部品の端子とコンタクトピン４との接触を確保する部品押え部材となるものであり、合成樹脂製で一体成型される。このラッチ部材１は、図４及び図５に示すように、上端にてソケット本体部２の載置部６ａ側に延設されて電気部品を押圧する押え部１ｂと、下端から上端近傍部に亘って二つに分離して形成され可撓性を有する脚部１ｅと、この各脚部１ｅの外側方に突出されソケット本体部２に回動自在に保持される回動軸部１ｃと、各脚部１ｅの内側面に対向して突設された撓み抑止突部１ｈと、を備え、各脚部１ｅを回動軸部１ｃと略直交方向にずらすことを可能に形成されている。そして、この撓み抑止突部１ｈは、図６中斜線を付して示すように、その一部のみが対向するように配置されている。
【００１９】
さらに、ラッチ部材１は、図５及び図６に示すように右側の脚部１ｅの下端部に弾性部材受付部としてのばね受け部１ｄを形成し、図３に示すように、ソケット本体部２に設けた保持凹部２ｂに挿入されてばね部材１２によって常時電気部品を押圧する方向に付勢され、回動軸部１ｃを図示省略の保持凹部の上側面に係止して回動自在に保持されている。
【００２０】
そして、ラッチ部材１は、図４に示すように、ばね受け部１ｄと反対側の部位に被押圧部１ｇを設け、後述の操作部材５の下降動作に伴って、この操作部材５によって押圧されて回動し、電気部品の押圧を解除すると共に載置部６ａを開放するようになっている。
【００２１】
また、ソケット本体部２の載置部６ａに対応する部位には、コンタクトピン４が複数植設されている。このコンタクトピン４は、電気部品の端子とソケット本体部２の下部に配置した回路基板の配線部とを電気的に接続するためのものであり、図１に示すように、載置部６ａに設けられた挿通孔１０を挿通して先端部を載置部６ａ側に突出させ、反対側端部をソケット本体部２の下面より突出させた状態（図２参照）でマトリクス状に配設されている。
【００２２】
このコンタクトピン４は、弾性を有し、導電性に優れた板材をプレス加工して形成されるものであり、図７に示すように、上方に一対の弾性片４ａ，４ｂが形成され、下方に１本のソルダーテール部４ｃが形成されている。それら一対の弾性片４ａ，４ｂは、下端部側の基部４ｄが同図（ｄ）に示すように略Ｕ字状に折曲されることにより、互いに対向するように形成されている。また、それら弾性片４ａ，４ｂの上端部（先端部）には、電気部品の端子である、例えば半田ボールの片側の部位にそれぞれ接触する接触部４ｅ，４ｆが形成され、この両接触部４ｅ，４ｆで半田ボールが挟持されて電気的に接続されるようになっている。
【００２３】
また、このコンタクトピン４の一対の弾性片４ａ，４ｂには、略くの字状に折曲された折曲部４ｇが形成されることにより、図８に示すように、移動部材７が下方に移動するのに伴って、これら折曲部４ｇが移動部材７に設けたカム部７ａに押圧されて、図９に示すように、両接触部４ｅ，４ｆが開くように構成されている。
【００２４】
そして、このコンタクトピン４のソルダーテール部４ｃ及び基部４ｄが、図８及び図９に示すように、ソケット本体部２に形成された圧入孔２ｆに圧入されて、この基部４ｄに形成された抜止め部４ｍがソケット本体部２に食い込むことにより、コンタクトピン４の上方への抜けを防止するようにしている。そして、ソケット本体部２から下方に突出したソルダーテール部４ｃを図示省略の回路基板の各貫通孔に挿通して半田付けすることにより接続されるようになっている。
【００２５】
また、図１に示すように、ソケット本体部２の外周部分には、操作部材５が上下動可能に設けられている。この操作部材５は、上下動してレバー８を駆動し、移動部材７を上下方向に移動させてコンタクトピン４の一対の接触部４ｅ，４ｂを開閉操作すると共にラッチ部材１を回動させて載置部６ａを開閉操作するものであり、図２に示すように、他のばね部材１３によって上向きに常時付勢されている。そして、同図に示すように、操作部材５の内側面をレバー押圧部５ａとし、また、図３に示すように、下端部をラッチ押圧部５ｂとして形成し、それぞれレバー８の被押圧部８ｄ及びラッチ部材１の被押圧部１ｇを押圧できるようになっている。
【００２６】
次に、ラッチ部材１のソケット本体部２への組み付け方法を、図１０〜図１３を参照して説明する。
ラッチ部材１は、定常状態においては、図６に示す状態にある。このとき、各脚部１ｅに対して、図１０に示すように矢印Ｔ，Ｕの互いに反対方向の力を強制的に付与し、撓み抑止突部１ｈが非対向状態となるまでずらす。さらに、この状態を維持して、図１１に示すように、各脚部１ｅを左右方向から矢印Ｖ，Ｘ方向に押圧し、撓み抑止突部１ｈの下端縁部が脚部１ｅの内側面１ｆに当接するまで撓ませる。これにより、回動軸部１ｃの両端間寸法Ｌ１がソケット本体部２に設けた保持凹部２ｂの開放口２ａの幅Ｗより小さくなりラッチ部材１が保持凹部２ｂに挿入可能となる。そして、ラッチ部材１を保持凹部２ｂに挿入した後、各脚部１ｅに与えていた力を全て解除すると、各脚部１ｅは、図６に示す定常状態に復帰する。次に、ラッチ部材１のばね受け部１ｄに対して図示省略のばね部材により上向きの弾性力を付与すると、図１２に示すように、回動軸部１ｃの端部が保持凹部２ｂの上側面２ｅに係止してラッチ部材１が回動可能に保持される。
【００２７】
この場合、ラッチ部材１による電気部品の押圧力を増すために、図１３に示す矢印Ｙ方向の弾性力を強くすると、回動軸部１ｃの両端部が保持凹部２ｂの上側面２ｅに係止しているので、ラッチ部材１には、脚部１ｅを内側に撓ませる力が発生する。しかし、この場合、脚部１ｅの内側面１ｆに対向して形成した撓み抑止突部１ｈが当接して脚部１ｅの撓み量を制限するので、回動軸部１ｃの両端部間寸法Ｌが保持凹部２ｂの開放口２ａの幅Ｗより小さくならない。したがって、回動軸部１ｃの両端部は、保持凹部２ｂの上側面２ｅに係止した状態が維持される。
【００２８】
次に、このように構成された電気部品用ソケットの動作を説明する。
先ず、操作部材５を下方に押圧すると、図３に示すように、操作部材５のラッチ押圧部５ｂにラッチ部材１の被押圧部１ｇが押圧され、ラッチ部材１が回動軸部１ｃを中心に同図中時計方向に回動し、載置部６ａを電気部品が載置可能状態に開放する。このとき、同時に、図２に示すレバー８の被押圧部８ｄが操作部材５のレバー押圧部５ａによって押圧され、ソケット本体部２に一体成型されたボス２ａを中心に内側に回動する。そして、押圧部８ｃで移動部材７を下方に押圧して移動させる。これにより、図８に示すコンタクトピン４の折曲部４ｇが移動部材７に設けたカム部７ａに押圧されて、図９に示すように、コンタクトピン４の両接触部４ｅ，４ｆが開く。ここで、載置部６ａに上方から電気部品を落とし込むと、同図（ｂ）に示すように電気部品１４の半田ボール１４ａが挿入される。
【００２９】
このような状態において、操作部材５の押圧を解除する。これにより、操作部材５によるラッチ部材１の被押圧部１ｇに対する押圧が解除され、ラッチ部材１は、ばね部材１２による付勢力により、図３中反時計方向に回動して電気部品を押圧する。同時に、操作部材５によるレバー８に対する押圧も解除されるため、移動部材７は上昇し、カム部７ａがコンタクトピン４の折曲部４ｇの押圧を開放し、両接触部４ｅ，４ｆが閉じられる。これにより、コンタクトピン４は、両接触部４ｅ，４ｆで電気部品１４の半田ボール１４ａをつかみ、電気的に接触し、ソケット本体部２の下面に配置された回路基板との電気的接続を可能にする。
【００３０】
このように、本発明の電気部品用ソケットは、ラッチ部材１を下端から上端近傍に亘って二つに分離して可撓性を有する一対の脚部１ｅを形成し、各脚部１ｅの内側面１ｆに一部が重なり合うように対向して撓み抑止突部１ｈを突設しているので、ばね部材１２の弾性力が強くて脚部１ｅが内側へ撓んだ場合にも、撓み抑止突部１ｈが互いに当接して撓み量を制限し、ラッチ部材１がソケット本体部２の保持凹部２ｂから抜け出すのを防止することができる。これにより、ラッチ部材１の安定動作を確保することができる。
【００３１】
また、撓み抑止突部１ｈが非対向状態になるまで脚部１ｅを回動軸部１ｃと直交方向にずらした後、内側に撓ませることにより回動軸部１ｃの両端間寸法Ｌを保持凹部２ｂの開放口２ａの幅Ｗよりも小さくすることができるので、ラッチ部材１を保持凹部２ｂに装着する組み付け作業を容易に行うことができる。
【００３２】
なお、撓み抑止突部１ｈの対向状態は、図６に斜線を付して示すように、一部が重なり合うように対向配置したものに限られず、撓み抑止突部１ｈの対向部全面が重なり合うようにしてもよい。この場合は、対向面積を小さくすれば、回動軸部１ｃの直交方向へのずらし量を小さくでき、組み付け作業の容易性を維持することができる。
【００３３】
【発明の効果】
本発明は以上のように構成されたので、請求項１に係る発明によれば、部品押え部材を下端から上端近傍部に亘って二つに分離して形成され可撓性を有する脚部を回動軸部と略直交方向にずらし、さらに内側に撓ませて各脚部の外側方に突出した回動軸部で部品押え部材をソケット本体部に回動自在に枢着し、定常時においては各脚部の内側面に対向して突設された撓み抑止突部で脚部の内側への撓みを制限し、ソケット本体部に上下動自在に配設された操作部材で部品押え部材を回動操作して部品押え部材の上端にて載置部側に延設された押え部で載置部に載置された電気部品を押圧し、電気部品の端子とコンタクトピンとの接触を確保することができる。したがって、部品押え部材のソケット本体部に対する組み付け作業を容易にすると共に部品押え部材の安定動作を確保することができる。
【００３４】
また、請求項２に係る発明によれば、撓み抑止突部の対向した部分に相当する分だけ各脚部を回動軸部に対して略直交方向にずらして撓み抑止突部を非対向状態にすることができる。したがって、部品押え部材のソケット本体部に対する組み付け作業をより容易にすることができる。
【００３５】
さらに、請求項３に係る発明によれば、回動軸部でソケット本体部の両側端部に設けた保持凹部に係止することができる。したがって、部品押え部を保持凹部に回動自在に枢着することができる。
【００３６】
また、請求項４に係る発明によれば、各脚部の少なくとも一方の下端部に形成した弾性部材受け部で弾性部材による常時上向きの付勢力を受けることができる。したがって、回動軸部を中心に回動して電気部品を押圧することができる。
【００３７】
そして、請求項５に係る発明によれば、弾性部材受け部と反対側の部位に形成した被押圧部で操作部材の下降動作に伴って、この操作部材を当接させることができる。したがって、操作部材の下降動作に伴って操作部材で被押圧部を押圧して部品押え部材を回動させ、電気部品の押圧を解除すると共に載置部を開放することができる。
【図面の簡単な説明】
【図１】本発明による電気部品用ソケットの実施の形態を示す平面図である。
【図２】図１のＡ−Ｂ線断面図である。
【図３】図１のＢ−Ｃ線断面図である。
【図４】本発明による電気部品用ソケットのラッチ部材の右側面図である。
【図５】図４の正面図である。
【図６】図５の底面図である。
【図７】コンタクトピンを示す図で、（ａ）は正面図、（ｂ）は（ａ）の左側面図、（ｃ）は（ａ）の平面図、（ｄ）は（ａ）のＥ−Ｅ線断面図である。
【図８】コンタクトピンの接触部が閉じた状態を示す断面図である。
【図９】コンタクトピンの接触部が開いた状態を示す断面図である。
【図１０】図６のラッチ部材の脚部を回動軸部に略直交方向へずらした状態を示す底面図である。
【図１１】図１０の状態からさらに脚部に対して回動軸部に平行方向の力を加えてたわませた状態を示す正面図である。
【図１２】ラッチ部材がソケット本体部の保持凹部に保持された状態を示す正面図である。
【図１３】図１２の状態にてばね受け部に上方に向かう強い弾性力を作用させたときのラッチ部材の変形状態を示す正面図である。
【図１４】従来のラッチ部材の組み付け状態を示す説明図である。
【図１５】従来のラッチ部材を基にして組み付け作業を容易にするために考えられたラッチ部材の別の構成を示す正面図である。
【図１６】図１５に示すラッチ部材の組み付け方法を説明するための正面図である。
【図１７】図１５に示すラッチ部材の組み付け完了状態を示す正面図である。
【符号の説明】
１…ラッチ部材
１ｂ…押え部
１ｃ…回動軸部
１ｄ…ばね受け部
１ｅ…脚部
１ｆ…内側面
１ｈ…撓み抑止突部
２…ソケット本体部
４…コンタクトピン
５…操作部材
６ａ…載置部
【図１】
2005005152.tif 000003
【図２】
2005005152.tif 000004
【図３】
2005005152.tif 000005
【図４】
2005005152.tif 000006
【図５】
2005005152.tif 000007
【図６】
2005005152.tif 000008
【図７】
2005005152.tif 000009
【図８】
2005005152.tif 000010
【図９】
2005005152.tif 000011
【図１０】
2005005152.tif 000012
【図１１】
2005005152.tif 000013
【図１２】
2005005152.tif 000014
【図１３】
2005005152.tif 000015
【図１４】
2005005152.tif 000016
【図１５】
2005005152.tif 000017
【図１６】
2005005152.tif 000018
【図１７】
2005005152.tif 000019